Podtech/llm-jp-corpus-v4-ja_patent huggingface dataset:
(57)【要約】      （修正有）【課題】洋式トイレにおいて男性の立ち放尿終了時に、残尿処理の動作によって飛散した残尿の滴が、便座や床を汚してトイレを不衛生にしていたのを防止し、トイレを衛生的にするとともに、主婦のストレス解消とトイレの環境改善策を提供する。【解決手段】連続する帯状の紙（１）と連続する帯状の紙（２）を重ね合わせた２層の連続する帯状の紙（３）を、一定間隔で切断できるように、切断線（４）を設け、切断線（４）に沿って切断される側に逆Ｌ字形の接着面（５）を設け２方を封鎖状態とし、接着面（５）に対向する側に開口部（６）が設けられ、切断面（４）で切離すことで、２方封鎖の菱形袋を形成する。【選択図】図１
0003139447.tif 000002
【実用新案登録請求の範囲】
【請求項１】
２枚重ねで連続する２層のトイレットペーパーの流れ方向に、一定間隔で分割されるように形成された切断用案内線と、この切断用案内線に沿って、切断される側に逆Ｌ字形の接着面を設けることで逆Ｌ字形の２方封鎖状態とし、対向する側を開口状態とするように、当該案内線に沿って形成された逆Ｌ字形の接着面を備え、当該案内線で切断すると２方封鎖の菱形の袋となることを特徴とするトイレットペーパー。
【考案の詳細な説明】
【考案の詳細な説明】
【技術分野】
【０００１】  この考案は、様式トイレにおいて男性は、立ち放尿の終了時に、残尿を完全に切るため男根を振る習慣があり、その時の残尿の滴が便座や床に飛散して汚す。この飛散を防止するため、本考案の立ち放尿飛散便座汚れ防止袋で男根を包んで残尿を振り切れば、残尿の滴はその包んだ袋に吸着されることで、尿の滴の飛散を防ぎ便座や床の汚れ防止に役立つ。
【背景技術】
【０００２】  従来、洋式トイレの使用時、男性は放尿を立ってする人が圧倒的に多く、高さの低い様式トイレでは、残尿の滴が飛散し便座や床を汚していた。
【考案が解決しようとする課題】
【０００３】これらには、次のような欠点があった。
（イ）男性には、立ち放尿終了時に男根を振って残尿を切る習慣があり、洋式トイレは便座が低いため、残尿を振切るときに尿の滴が飛散し、便座や床を汚す原因となっていた。
（ロ）洋式トイレで、男性の立ち放尿終了時、残尿の滴の飛散により便座や床が汚れ不衛生になり、家庭では主婦の拭き掃除の手間をかけ不快感を与えていた。・
【課題を解決するための手段】
【０００４】（イ）連続する帯状の紙（１）と、連続する帯状の紙（２）を重ね合わせた２層の連続する帯状の紙（３）を、一定間隔で切断できるように、切断線（４）を設け、切断線（４）に沿って切離される側に逆Ｌ字形の接着面（５）を設け２方を封鎖状態とし、接着面（５）に対向する側に開口部（６）が設けられ、切断面（４）で切離すことで、２方封鎖の菱形袋（図２）を形成する。
（ハ）図３は、放尿終了時の２方封鎖菱形袋の装着実施図である。
本考案は、以上のような構成より成る、立ち放尿飛散便座汚れ防止袋付トイレットペーパー。
【考案を実施するための最良の形態】
【０００５】以下、本考案の実施の形態について説明する。
（イ）図１のように、連続する帯状の紙（１）と連続する帯状の紙（２）を重ね合わせた２層の連続する帯状の紙（３）を一定間隔で切断できるように、切断線（４）を設ける、
（ロ）その切断線（４）に沿って、切離される側に逆Ｌ字形の接着面（５）を設け２方を封鎖状態とし、接着面（５）に対向する側を開口部（６）とした構造で、切断面（４）で切離すことで、２方封鎖の菱形袋（図２）を形成する。
【実施例】
【０００６】  以下本考案の実施例について説明する。
（イ）図１のように、連続する帯状の紙（１）と連続する帯状の紙（２）重ね合わせた２層の連続する帯状の紙（３）に一定間隔の切断線（４）を設ける。
（ロ）切断線（４）に沿って逆Ｌ字形の接着面を設け２方を封鎖状態とする。
（ハ）接着面（５）と対向する側に開口部（６）を設ける。
（ニ）切断線（４）で切断することで、２方封鎖の菱形袋（図１−１）が形成される。
【考案の効果】
【０００７】  本考案は、以上のような構造で、様式トイレで男性の立ち放尿終了時に、本考案の立ち放尿飛散便座汚れ防止袋で男根を包んで振り切ることで、残尿の滴の飛散を防ぎ便座やトイレの床等の汚れを防止します。
【図面の簡単な説明】
【図１】本考案の実施例の断面図である
【図２】本考案の２方封鎖菱形袋
【図３】本考案の使用例図
【符号の説明】
（１）連続する帯状の紙
（２）連続する帯状の紙
（３）２層の連続する帯状の紙
（４）切断線
（５）逆Ｌ字形接着面
（６）開口部
【図１】
0003139447.tif 000003
【図２】
0003139447.tif 000004
【図３】
0003139447.tif 000005
(57)【要約】      （修正有）【課題】パネル構造が簡易になり、パネル本体及び輸送等のコストダウンとなる。また、グラスウールを全く使用しないため、環境保護につながる。【解決手段】必要な厚さを持ったパネルを、必要に応じた各種鋼材で製作し、そのパネル内に砕石を充填できるようにする。設置現場までは通常の１０ｔ車等で輸送し、設置現場にてパネル内に砕石を充填する。このとき、必要な砕石の量は、作業所にて準備しておく。砕石を充填したパネルをラフター等で吊り上げ、坑口等所定の場所に組立てていく。【選択図】図−１
0003139444.tif 000002
【実用新案登録請求の範囲】
【請求項１】
各種鋼材及びゴム板で構成されたパネル内に、砕石を充填することを特徴としたトンネル坑口用防音扉。
【考案の詳細な説明】
【技術分野】
【０００１】本発明は、トンネル掘削作業で発生する普通騒音及び低周波音を減衰させることを主たる目的としたトンネルの坑口等に設置する防音音扉である。
【背景技術】
【０００２】従来の防音扉には、各種鋼材で構成されたパネル内に、グラスウールを充填するものがある。また、それにコンクリートを付帯させるものがある。
【考案の開示】
【考案が解決しようとする課題】
【０００３】従来の製品ではパネル構造が重厚になり、重量も大きく輸送に関しての効率も悪く、コストがかさんでしまった。また、使用後のグラスウールの処分が容易でなく、環境保護の観点からも問題があった。
【課題を解決するための手段】
【０００４】各種鋼材及びゴム板で構成されたパネル内に、通常、各作業所にて簡単に入手できる、トンネル掘削によって発生した岩を破砕した砕石を各作業所にて充填する構造となり、グラスウールを使用しない上に、鋼材の量を減少させた防音扉となる。
これを、「図−１」に基づいて説明すると、▲１▼は軽溝型鋼の枠材となり、各パネルの外周を構成する。▲２▼はプレートで坑口側の遮音板となる。▲３▼は軽溝型鋼の中骨となり、必要に応じて各パネルに補強材として配置する。▲４▼はゴム板で、遮音板に貼り付け、砕石投入の際、遮音板を保護する役割となる。▲５▼は格子金網で、砕石を充填した後の裏面押えとなる。このような構造のパネルを「図−２」の斜線部に配置し、柱・梁となるＨ型鋼及びプレートを加工したアーチリング等を組合せ、トンネル断面を密閉する防音扉として使用する。
各種部材の締結はボルトにて行う。
性能に関しては、発破音という特殊性から予測が困難なところがあるが、一般の砕石の単位重量と普通コンクリートの単位重量が同等であることから、従来の製品と比較してもある程度の性能を確保できると考える。
【考案の効果】
【０００５】本製品により、得られる効果として産業廃棄物として処理していたグラスウールを使用しないため、環境保護につながる点がある。また、通常各作業所に配置されている砕石マシーンにより、本パネルに充填する砕石が簡単に入手でき、その原材料は、掘削した岩石であることから、材料のコストがかからない。更には、グラスウールを使用しないこと及び使用する鋼材の量が減少することから、製品自体のコストダウンにつながる。また、同じ理由から、輸送費のコストダウンにつながる。以上、本製品によりコストダウン及び環境保護に大きく貢献できる。
【考案を実施するための最良の形態】
【０００６】必要な厚さを持ったパネルを、必要に応じた各種鋼材で製作し、そのパネル内に砕石を充填できるようにする。設置現場までは通常の１０ｔ車等で輸送し、設置現場にて、パネル内に砕石を充填する。このとき、必要な砕石の量は、作業所にて準備しておく。砕石を充填したパネルを、ラフター等で吊り上げ、坑口等所定の場所に組立てていく。
【図面の簡単な説明】
【０００７】
【図−１】パネルの断面を示したパネル詳細図である。
【図−２】防音扉全体の平面及び断面を示した防音扉全体図である。
【符号の名称】
▲１▼  パネル枠材（軽溝型鋼）
▲２▼  遮音板（プレート）
▲３▼  補強材（軽溝型鋼）
▲４▼  ゴム板
▲５▼  裏面押え（格子金網）
【図−１】
0003139444.tif 000003
【図−２】
0003139444.tif 000004
(57)【要約】【課題】二重定位を生成して吸着過程を更に確実にする吸盤の二重定位構造を提供する。【解決手段】吸盤の二重定位構造は、吸盤、ばね、固定座、第一制御とって、相対する第二制御とって、及び、枢結棒からなる。吸盤は滑らかな面で真空吸力を生成し、中央外側は引き棒を延伸し、引き棒外は枢結孔を設置し、固定座は蓋状で中央に穿孔を設置する。第一制御とって内側は枢結孔を有し、一側に偏心部を有し、外側は延伸した可動部で、第二制御とっては、第一制御とってと相対設置され、内側は枢結孔で相対側に偏心部を有し、外側は可動部を延伸する。【選択図】図１
0003139403.tif 000002
【実用新案登録請求の範囲】
【請求項１】
吸盤の二重定位構造であって、吸盤、ばね、固定座、第一制御とって、相対する第二制御とって、及び、枢結棒からなり、前記吸盤は滑らかな面で真空吸力を生成し、中央外側は引き棒を延伸し、前記引き棒外は枢結孔を設置し、前記固定座は蓋状で中央に穿孔を設置し、その特徴は、前記第一制御とって内側は枢結孔を有し、一側に偏心部を有し、外側は延伸した可動部で、前記第二制御とっては前記第一制御とってと相対設置され、内側は枢結孔で相対側に偏心部を有し、外側は可動部を延伸し、上述の組み合わせにより、前記吸盤の引き棒は前記固定座の穿孔から穿入し、前記吸盤は前記固定座により蓋合され、前記第一制御とってと前記第二制御とっては対応方式で、前記枢結孔から前記枢結棒により前記吸盤の枢結孔と枢結固定されることを特徴とする、吸盤の二重定位構造。
【請求項２】
前記吸盤の引き棒は前記固定座との間にばねを使用することを特徴とする、請求項１に記載の吸盤の二重定位構造。
【考案の詳細な説明】
【技術分野】
【０００１】
本考案は、吸盤の二重定位構造に関するものであって、特に、二制御とってを有し、二制御とってはそれぞれ吸盤の吸着を制御し、使用過程中、吸盤の脱落を防止することができる定位構造に関するものである。
【背景技術】
【０００２】
吸盤は、滑らかな面上で吸着し固定する功能を有し、且つ、使用が快速便利で、破壊式の穿孔等の動作を実行しなくてもいいので、浴室、厨房、車輌、或いは、ガラス面上に使用され、吸盤は真空吸着後、時間と重量により脱落し、吸着力と載重性に欠け、吸着力、載重力を増強する構造が求められる。
【考案の開示】
【考案が解決しようとする課題】
【０００３】
本考案は、吸盤の二重定位構造を提供し、上述の問題を改善することを目的とする。
【課題を解決するための手段】
【０００４】
本考案の吸盤の二重定位構造は、吸盤上に第一制御とってと第二制御とってを設置し、対応方式により、第一制御とってと第二制御とってを同時、且つ、独立して吸盤の引き棒箇所に結合し、また、固定座により吸盤が外に引く吸力を生成させる。
【考案の効果】
【０００５】
本構造は、使用過程で、第一制御とって、或いは、第二制御とってが緩む状況が生じても、もう一つの制御とってにより固定すれば、その後、緩んだ制御とってを圧回することができ、吸盤が脱落するのを防止することができる。
【考案を実施するための最良の形態】
【０００６】
図１、図２で示されるように、本構造は、吸盤１０、ばね２０、固定座３０、第一制御とって４０、相対する第二制御とって５０、及び、枢結棒６０からなり、吸盤１０は滑らかな面で真空吸力を生成し、中央外側は引き棒１１を延伸し、引き棒１１外は枢結孔１２を設置し、固定座３０は蓋状で中央に穿孔３１を設置し、外側は各種置物構造を配置する。第一制御とって４０内側は枢結孔４１を有し、一側に偏心部４２を有し、外側は延伸した可動部４３で、第二制御とって５０は第一制御とって４０と相対設置され、内側は枢結孔５１で相対側に偏心部５２を有し、外側は可動部５３を延伸する。
【０００７】
その構造の組み合わせは、図１、図３で示されるように、ばね２０が吸盤１０の引き棒１１位置に設置され、吸盤１０の引き棒１１は固定座３０の穿孔３１から穿入し、吸盤１０は固定座３０により蓋合され、第一制御とって４０と第二制御とって５０は対応方式で、枢結孔４１、５１から、枢結棒６０により吸盤１０の枢結孔１２と枢結固定される。
【０００８】
構造の使用は、図３で示されるように、第一制御とって４０と第二制御とって５０が未動作時に吸盤１０は無吸力であり、使用時、図４、図５で示されるように、吸盤１０を滑らかな面に貼付し、第一制御とって４０と第二制御とって５０を相対する方向に移動させ、二個の偏心部４２、５２が固定座３０を下圧し、同時に、吸盤１０の引き棒１１を外に引き、吸盤１０が真空の吸力を生成する。
【０００９】
上述のような構造により、以下のような効果が得られる。吸盤１０上に第一制御とって４０と第二制御とって５０を設置し、対応方式により、第一制御とって４０と第二制御とって５０を同時、且つ、独立して吸盤１０の引き棒１１箇所に結合し、また、固定座３０により吸盤１０が外に引く吸力を生成する。構造の使用中、第一制御とって４０、或いは、第二制御とって５０が緩む状況が生じても、もう一つの制御とってにより固定すれば、その後、緩んだ制御とってを圧回することができ、図６で示されるように、吸盤１０が脱落するのを防止することができる。この構造の使用は壁への使用において更に確実で、図７で示されるように、シャワーヘッドに使用する時、シャワーヘッドは延伸管を有し、手にする過程で、延伸管が第一制御とって４０、或いは、第二制御とって５０に引っかかり、制御とってが緩む恐れがあるが、この時、もう一つの制御とってにより固定することができる。第一制御とって４０と第二制御とって５０は異なる方向の制御であり、よって緩む状況が生じない。
【００１０】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【図面の簡単な説明】
【００１１】
【図１】本考案の立体組み合わせ図
【図２】本考案の立体分解図
【図３】本考案の組み合わせ断面図
【図４】本考案の定位後の立体図
【図５】本考案の定位後の組み合わせ断面図
【図６】本考案の制御とってが緩む状況を示す図
【図７】本考案の実際の使用状態の参考図
【符号の説明】
【００１２】
１０    吸盤
１１    引き棒
１２    枢結孔
２０    ばね
３０    固定座
３１    穿孔
４０    第一制御とって
４１    枢結孔
４２    偏心部
４３    可動部
５０    第二制御とって
５１    枢結孔
５２    偏心部
５３    可動部
６０    枢結孔
【図１】
0003139403.tif 000003
【図２】
0003139403.tif 000004
【図３】
0003139403.tif 000005
【図４】
0003139403.tif 000006
【図５】
0003139403.tif 000007
【図６】
0003139403.tif 000008
【図７】
0003139403.tif 000009
(57)【要約】      （修正有）【課題】特別な器具、材料を使用せずに簡単に組み立てられる耐水性のある紙芝居ケースを提供する。【解決手段】紙芝居ケースの正面枠１、背面枠２、側面枠３、底面枠の各パーツに、柔軟性に富み、滑り摩擦係数の高い発泡性ポリウレタン樹脂等を採用することにより、各枠の凹凸部１ａ〜３ａ嵌め込み繋ぎ合わせるだけで組み立てができ、更にこれらの各パーツを一枚のシート中に収納することにより、取り扱いを極めて容易することができる。【選択図】図１
0003139481.tif 000002
【実用新案登録請求の範囲】
【請求項１】
紙芝居本文の前面に描かれた絵場面を見せる絵窓を有する正面枠と、紙芝居本文の後面に書かれた説明文を見せる窓を有する背面枠と、絵を入れる為の底面枠及び左右側面枠からなり、各枠に設けられた凹凸部を嵌め合せることにより簡便に組み立てられる、一定の厚さを有する発泡性樹脂からなる構成の組み立て式紙芝居ケース。
【請求項２】
請求項１に記載の紙芝居ケースであって、各枠パーツが一枚の発泡性樹脂シート中に収納されていることを特徴とする組み立て式紙芝居ケース。
【考案の詳細な説明】
【技術分野】
【０００１】  本考案は、誰でも簡単に組み立てることが可能な紙芝居ケースに関するものである。
【背景技術】
【０００２】  従来、紙芝居ケース（舞台）は木製が一般的であり、簡易タイプとして紙製ケース等が採用されているが、簡単に組み立てられる家庭用のケースは無かった。
【考案の開示】
【考案が解決しようとする課題】
【０００３】  従来の紙芝居ケースにはみられない、特別な用具、器具、接着剤等を用いることなく誰でも簡単に組み立てることが可能で、かつ入浴時や水遊び等の使用に適した耐水性に富む紙芝居ケースを提供しようとするものである。
【課題を解決するための手段】
【０００４】  本考案は、紙芝居ケースの構成パーツの縁に凹凸部を設け、凹凸部の嵌め込みにより特別な器具、用具、接着剤を用いることなく各パーツの繋ぎ合わせが誰でも容易にできるよう、柔軟性に富み滑り摩擦係数の高い発泡スポンジ状の材料を採用することで課題を解決している。
【考案の効果】
【０００５】  上述の様に、本考案の組み立て式紙芝居ケースは誰でも簡単に組み立てられ、加えて材料が柔軟性に富み、使用者の身体に危害を与える心配も無く安全に使用でき、更に耐水性もあり、お風呂での入浴時やプールでの水遊び等様々な場面で手軽に紙芝居を楽しむ機会を提供するものである。
【考案を実施するための最良の形態】
【０００６】  一定の面積の発泡樹脂シート中に紙芝居ケースの正面枠、背面枠、底面枠、左右側面枠の各パーツが嵌め込まれた状態になっており、各枠パーツの縁部には凹凸部が設けられている。各枠パーツを取り出しそれぞれの凹凸部を接着剤等を使用することなく嵌め込むだけで紙芝居ケースの組み立てが完成する。素材としては、軟らかく柔軟性に富み滑り摩擦係数の高い、組み立て繋ぎ合わせた各枠が容易にばらけない、厚さ２〜２０ｍｍ程度の発泡ポリウレタン樹脂や発泡ポリスチレン樹脂等が適している。
【実施例】
【０００７】  以下、添付図面に従って一実施例を説明する。１は紙芝居本文の前面に描かれた正面枠、２は紙芝居本文後面の説明文を見せる窓の背面枠２、３は正面枠、背面枠を繋ぎ合わせ本文を収納する空間を構成する左右面及び底面の側面枠３である。正面枠１及び背面枠２には縁部に凹部１α、２αが数箇所設けられており、側面枠３には凸部３αが設けられている。各枠１，２，３は１枚の発泡ポリウレタン樹脂シートに収納されている。【０００８】  紙芝居ケースの組み立ては、各枠パーツを収納されているシートから取り出し、正面枠１と背面枠２を、側面枠３で各枠の凹凸部１α，２α，３αを嵌め合わせ繋ぎ合わせ完成することが出来る。組み立てた紙芝居ケースは紙芝居本文７を入れ紙芝居を演出するには充分な強度を有している。また紙芝居使用後に各枠をばらし直し、収納不要部４，５，６に再び各枠を収納すれば整理整頓の行き届いた保管ができる。【０００９】  本考案の一実施例は上述の如き構成からなるものであるが、側面枠は底面枠と左右枠を同一の形状にして、組み立てがより間違いなく確実に行えるように配慮したり、更に正面枠には、より紙芝居効果を高めることが出来るように文字等をデザインすることも可能である。また、紙芝居本文に耐水性のあるＰＶＣやＰＥＴ、ＰＰ等のプラスチック樹脂シートを採用することにより、家庭でのお風呂入浴時やプールでの水遊びの際にも紙芝居を楽しむことが可能になる。
【図面の簡単な説明】
【００１０】
【図１】本考案の組み立て式紙芝居ケースの各枠パーツのシート内収納平面図
【図２】本紙芝居ケース組み立て図
【図３】本紙芝居ケース組み立て完成図
【符号の説明】
【００１１】１・・・・・・正面枠
１α・・・・・正面枠凹部
２・・・・・・背面枠
２α・・・・・背面枠凹部
３・・・・・・側面枠
３α・・・・・側面枠凸部
４，５，６・・収納シート不要部
７・・・・・・紙芝居本文
【図１】
0003139481.tif 000003
【図２】
0003139481.tif 000004
【図３】
0003139481.tif 000005
(57)【要約】【課題】    襟ぐりの狭い衣類をハンガーを使って干す場合、襟ぐりがのびたり形がくずれたりするのを防ぐため裾からハンガーを入れなければならず、面倒だった。また、風がある時は、はためく洗濯物に負けてハンガーごと落ちてしまうことがあった。【解決手段】  ハンガーの左肩部分には左側が開いたフックをつけ、右肩部分には右側が開いたフックをつけて左右の肩のパーツをフックの下でクロスさせ、かしめでとめる。【選択図】図１
0003139484.tif 000002
【実用新案登録請求の範囲】
【請求項１】
ハンガーを中央から半分に折りたたむことによって狭い襟ぐりでも楽に出し入れ出来ることを特徴とした洗濯ハンガー。
【請求項２】
洗濯物をかけることでハンガーの左右の肩が下に押され、押されることによって上のフックがハンガーをかけるポールを左右からはさみ込む形になり、ハンガーが落下するのを防ぐことを特徴とした洗濯ハンガー。
【考案の詳細な説明】
【技術分野】
【０００１】  本考案は、狭い襟ぐりでも襟ぐりがのびたり形がくずれたりするのを防ぎ、同時にハンガーがポールからはずれて落ちないという特徴を持つ、狭い襟ぐりでも出し入れできる落下しない洗濯ハンガーに関するものである。
【背景技術】
【０００２】  従来、洗濯ハンガーはプラスチック製、はりがねハンガーなどはじめからハンガーの形に形成された物が多く使用されている。また、襟から出し入れできるアイデアハンガーは開閉式、折たたみ式、傘式などの方法を用いていた。
【考案の開示】
【考案が解決しようとする課題】
【０００３】  そのために次のような問題点があった。
（イ）ハンガーの形に形成された物は襟ぐりから出し入れすると襟ぐりがのびたり、形がくずれたりする。
（ロ）風がある時は、はためく洗濯物に負けてハンガーごと落ちてしまうこともあった。
本考案は、以上の問題点を解決するためになされたものである。
【課題を解決するための手段】
【０００４】  ハンガーの左肩部分には左側が開いたフックをつけ、右肩部分には右側が開いたフックをつけて左右の肩のパーツをフックの下でかしめでとめる。
以上を特徴とする狭い襟ぐりでも出し入れできる落下しない洗濯ハンガーである。
【考案の効果】
【０００５】  折りたたむことで狭い襟ぐりからでも簡単にハンガーを出し入れできる。洗濯物をかけることでハンガーの左右の肩が下に押され、押されることによって上のフックがハンガーをかけるポールを左右からはさみ込む形になるので落下することがなくなる。
【考案を実施するための最良の形態】
【０００６】  以下、本考案の実施の形態を説明する。
（イ）ハンガーの左肩部分に左側が開いたフックをつけたもの（１）、ハンガーの右肩部分に右側が開いたフックをつけたもの（２）を用意する。
（ロ）（１）と（２）をフックの下でクロスさせてかしめ（３）でとめる。
本案は以上のような構造で、これを使用する時は、洗濯物の襟からハンガーを入れそのままフックをクロスさせてポールを左右からはさみ込む。
【図面の簡単な説明】
【０００７】
【図１】本考案の正面図
【図２】本考案の使用状態を示す斜視図
【符号の説明】
【０００８】１右側の開いたフック付右肩部
２左側の開いたフック付左肩部
３かしめ
【図１】
0003139484.tif 000003
【図２】
0003139484.tif 000004
(57)【要約】【課題】眼鏡使用時および外したときの双方の場合にてチェーンがじゃまになることががなく、快適に使用できる眼鏡用のチェーン付き垂下体を提供する。【解決手段】適度の重量を有する垂下体を設け、該垂下体にチェーンを取り付け、チェーンの両端に眼鏡への取り付け部を設けたことを特徴とする。【選択図】図１
0003139483.tif 000002
【実用新案登録請求の範囲】
【請求項１】
適度の重量を有する垂下体を設け、該垂下体にチェーンを取り付け、チェーンの両端に眼鏡への取り付け部を設けたことを特徴とする眼鏡用チェーン付き垂下体。
【考案の詳細な説明】
【技術分野】
【０００１】  この考案は、眼鏡使用時や眼鏡を外したときの眼鏡およびチェーンがじゃまにならずに安定位置に保持できる眼鏡用のチェーン付き垂下体に関する。
【背景技術】
【０００２】  従来より、眼鏡用のチェーンが利用されているが、本案にて示すようにこのチェーンに垂下体を付加したものは見あたらない。
【考案の開示】
【考案が解決しようとする課題】
【０００３】  眼鏡は視力補助等のために多用され、眼鏡を外したときの位置保持のために眼鏡用チェーンもよく用いられる。この眼鏡チェーンは、所定長さの細チェーンの両端を眼鏡のつるに取り付け、使用時は首にこのチェーンを掛ける。すると眼鏡を外したときにはこのチェーンにて眼鏡は胸元に垂れ下がり、眼鏡の位置保持ができる。しかし、従来の眼鏡チェーンは長いチェーンが顔の両側で揺れるために煩わしく、また眼鏡を外したときには眼鏡が胸の前に垂れ下がり、少しの動作で揺れ動いてものにぶつかったりする恐れがあるものであった。
本案は、以上のような従来からの眼鏡チェーンに関わる課題を解決するために考案されたもので、チェーンに適宜サイズ・重量のおもりとしての垂下体を設けることにて眼鏡使用時および外したときの良好な使用感の得られる用具を提供することを目的としたものである。
【課題を解決するための手段】
【０００４】  課題を解決する手段として本案は以下の構成とした。
すなわち、適度の重量を有する垂下体を設け、該垂下体にチェーンを取り付け、チェーンの両端に眼鏡への取り付け部を設ける。
本案は以上の構成よりなる眼鏡用チェーン付き垂下体である。
【考案の効果】
【０００５】  本案によれば、チェーンに適度な重量の垂下体を設けたので、眼鏡使用時においては余分なチェーンはこの垂下体重量にて引かれ、外したときには眼鏡が胸元に近接して位置することとなって使用感に優れた物品を提供することができる。
【考案を実施するための最良の形態】
【０００６】  以下、本考案の実施形態について説明する。
図において、１は伸縮体で、適宜径のゴム紐を環状に形成したものである。２はスライダーで、略円筒形の金属製小環体であり、伸縮体をその内に位置させている。３は連環体で、小径の金属製環体を複数個連続的につなげたものである。以上にて眼鏡への取り付け部が構成される。４はチェーンで、小粒のビーズ中央に孔を穿設し、この孔内に細糸を挿通しつなげたものである。５は垂下体で、略紡錘形の鉛製塊体よりなるおもり６を布体７で覆って形成される。この布体の周囲は前記チェーンが縫合一体化される。なお、この垂下体の重量は眼鏡と同程度である。
本案は以上のような構成で、使用に際しては眼鏡のつる部に取り付ける。この取り付けについては、まずスライダーを連環体側にスライドさせ、伸縮体の環状部分を眼鏡のつるに通し、任意の位置にてスライダーをスライドさせることにて伸縮体の環状部分が狭まり、つるに連環体がその位置を保ちつつ保持される。この状態にて眼鏡を掛けるとともに、チェーン内に首を位置させ、おもりを背中に垂下させる。チェーンはおもりの重量にて引張され、このおもりの重量は眼鏡とほぼ等しいので従来品のように垂れ下がることもなく、顔側部に沿ってスッキリと位置する。
眼鏡を外したときには、おもりの作用にて首下の任意の位置に眼鏡を位置させることができ、従来品のように垂れ下がることもなく、視覚的にも良好なものとなる。【０００７】  以上、本案について記したが、本案はチェーンにおもりを付加したところにその特徴を有し、このおもりを眼鏡重量と近似の重量としたので、使用感に優れたものとなったのである。なお、本例ではおもりに鉛製塊体を布にて被覆したものとしたが、他の種々の形状・スタイルのものが利用できる。また、スライダーと伸縮体にて眼鏡のつるに装着するものとしたが、他の装着手段を用いてもよい。
以上のごとく、本案にて使用に優れるとともに視覚的にも良好なる眼鏡用のチェーン付き垂下体を得ることができる。
【図面の簡単な説明】
【０００８】
【図１】  本考案の平面図（一部略）
【図２】  Ａ−Ａ拡大断面図
【図３】  本考案の装着状態図
【図４】  本考案の使用状態図
【図５】  本考案の使用状態図
【符号の説明】
【０００９】  １  伸縮体
２  スライダー
３  連環体
４  チェーン
５  垂下体
６  おもり
７  布体
【図１】
0003139483.tif 000003
【図２】
0003139483.tif 000004
【図３】
0003139483.tif 000005
【図４】
0003139483.tif 000006
【図５】
0003139483.tif 000007
(57)【要約】      （修正有）【課題】現在市販されている、パター用を除くゴルフクラブ用のグリップは、全てが円錐形の形状をおり、右手と左手の握るところのグリップの太さが違うために、右手と左手のバランスが悪く、ボールを打つときに右手と左手のちから加減が難しかったことを解決する。【解決手段】グリップのグリップエンド部分を除く、手で握る部分全体を真っ直ぐ円柱型にして、右手と左手の握る部分の太さを同じにした。【選択図】図１
0003139486.tif 000002
【実用新案登録請求の範囲】
【請求項１】
手で握る部分が真っ直ぐ円柱形の、パター用を除くゴルフクラブ用のグリップ。
【考案の詳細な説明】
【技術分野】
【０００１】  本考案は、握る部分が真っ直ぐ円柱形になった、パター用を除くゴルフクラブ用のグリップに関するものである。
【背景技術】
【０００２】  パター用を除くゴルフクラブ用のグリップは、従来は上から下、もしくは、下から上に向けて円錐形の形状の物しかなかった。
【考案の開示】
【考案が解決しようとする課題】
【０００３】  円錐形のグリップだと、どうしても、右手と左手の握る部分の太さが違うために、右手と左手の握り方のバランスが悪かった。また、右手と左手の握る太さが違うために、ボールを打つときに右手と左手のちから加減が変わってくるために、ボールを真っ直ぐに飛ばすのが難しかった。このことを解決することが課題である。
【課題を解決するための手段】
【０００４】  この課題を解決するために、グリップの手で握る部分を真っ直ぐ円柱形にしたグリップを製作することにした。しかし、ただ真っ直ぐ円柱型にすると、ゴルフクラブを振ったときにゴルフクラブが、手からすっぽ抜ける危険性があるので、グリップの全部を真っ直ぐにするのではなく、グリップエンド部分は、この危険性を防ぐために、手で握るところよりも太くし、グリップエンド部分以外の部分を真っ直ぐにすることによって、この課題を解決することにした。
【考案の効果】
【０００５】  この考案によって、右手と左手の握るところの大きさが同じ太さになる為に、ゴルフクラブでボールを打つときに、右手と左手のちから加減が同じように握れるために、右手を使いすぎると言うことや、左手を使いすぎると言うことも解消される。そして、そのことによって、ボールを打ったときに、ボールを狙ったところにより正確に飛ばすことが出来るようになる。
【考案を実施するための最良の形態】
【０００６】  この考案を実施するためには、金型を利用して、ゴムやプラスチック樹脂、ビニール素材などの材料を使用してグリップを製作し、両面テープとベンジンなどを使用してゴルフクラブに装着する。
【産業上の利用可能性】
【０００７】  現在の日本国内でのゴルファー人口は、何百万人とも言われています。世界では、その数倍のゴルファーがいると思われます。そのゴルファーのほとんどがボールを真っ直ぐに飛ばすことを目標に練習を行い、スイングの研究や道具の交換を行っています。そんなゴルファー全員が対象になる為に、産業上の利用可能性はある。
【図面の簡単な説明】
【０００８】
【図１】  本考案の正面図である。
【図２】  本考案のゴルフクラブへの装着図である。
【符号の説明】
【０００９】  １  本考案のグリップエンド部分である。
２  本考案の手で握る部分である。
３  ゴルフクラブのシャフト部分である。
４  ゴルフクラブのヘッド部分である。
【図１】
0003139486.tif 000003
【図２】
0003139486.tif 000004
(57)【要約】      （修正有）【課題】従来から使用されている物干しハンガーは、洗濯物をバランスよく吊り下げることでしか、物干し自体の平行をとることができない。また、ハンガーが斜めになってしまった時は、再度、洗濯物同士を入れ替えるか、斜めのまま干すしかないという欠点があった。その欠点をなくし簡単に斜めの物干しハンガーを水平にする機能を設ける【解決手段】洗濯物を平らにに干す事ができるよう、物干しハンガーのフック下部にバランス調整器を設け、調節部を左右に移動固定して、簡単にバランスの調整を行なう。【選択図】図１
0003139991.tif 000002
【実用新案登録請求の範囲】
【請求項１】
物干しハンガーの取り付け下部に、バランス調整器３を設け、ハンガーが水平にならない時に調節部Ａを左右に移動固定して、簡単にバランスの調整ができる水平物干しハンガー。
【請求項２】
バランス調整器３を調節する際、ベース部Ｃには等間隔に丸い開口が開いており、通常時は固定ピンＤで固定されている。バランス調整時にはバネＥが縮む方向に固定部Ｂを押すことで、固定ピンが外れ左右へ自由に調節部Ａが移動でき、固定部Ｂを離すことでＤの固定ピンがベース部の開口に入り、固定される。このようにワンタッチで調整できるバランス調整器。
【考案の詳細な説明】
【技術分野】
【０００１】
この考案は、家庭用品の水平物干しハンガーに関する。
【背景技術】
【０００２】
従来から使用されている物干しハンガーは、洗濯物をバランスよく吊り下げることでしか、物干し自体の水平をとることができない。また、ハンガーが斜めになってしまった時は、再度、洗濯物同士を入れ替えるか、斜めのまま干すしかないという欠点があった。
【考案の開示】
【考案が解決しようとする課題】
【０００３】
この考案の目的は、前述のごとき欠点を解消し、洗濯物を水平に干す事ができるよう、物干しハンガーのフック下部にバランス調整器を設けたものである。
【課題を解決するための手段】
【０００４】
市販の物干しハンガーの中央フック下部に、バランス調整器３を設け、調節部Ａをハンガー長手方向にスライドすることで、バランスの調整を行う。この時、バランス調整器、ベース部Ｃには等間隔に丸い開口が開いており、通常時は固定ピンＤが開口に入り込むことでその位置に固定されている。バランス調整時にはバネＥが縮む方向に固定部Ｂ部を押すことで、固定ピンが外れ左右へ自由に調節部Ａが移動できる。次に固定部Ｂを離すことで固定ピンＤがベース部の開口に入り、固定される。この様にワンタッチでバランス調整を行なうことができる構造とする。
【考案の効果】
【０００５】
本考案は、前記のごとき方法で、簡単に物干しを水平に保つことが出来、乾きも良く、見た目も良い、水平物干しハンガーを提供するものである。
【実施例１】
【０００６】
図３は、干し終わった時、バランスがくずれて物干しが水平にならない状態で、図４はバランス調整器の調節部Ａを移動して物干しが水平になった状態である。
【図面の簡単な説明】
【０００７】
【図１】本考案の水平物干しハンガーの全容斜視図である。
【図２】本考案のバランス調整器の詳細図である。
【図３】本考案のバランス調整器で調整する前の、バランスがくずれて水平にならない状態の説明図である。
【図４】本考案のバランス調整器を用いて、水平になった状態の説明図である。
【符号の説明】
【０００８】
１    ハンガー本体
２    ハンガー取付けフック
３    バランス調整器
４    物干ばさみ
Ａ    バランス調整器、調節部
Ｂ    バランス調整器、固定部
Ｃ    バランス調整器、ベース部
Ｄ    バランス調整器、固定ピン
Ｅ    バランス調整器、バネ
【図１】
0003139991.tif 000003
【図２】
0003139991.tif 000004
【図３】
0003139991.tif 000005
【図４】
0003139991.tif 000006
【手続補正書】
【提出日】平成19年12月21日(2007.12.21)
【手続補正１】
【補正対象書類名】実用新案登録請求の範囲
【補正対象項目名】全文
【補正方法】変更
【補正の内容】
【実用新案登録請求の範囲】
【請求項１】
市販の物干しハンガー取付けフック下部、すなわち鎖状吊り手が取り付けられる部分に、通常固定されている物干しハンガー取付けフック位置を物干しハンガー長手方向に移動できる様に、長方形の形状をしたバランス調整器を設け、物干しハンガーが水平にならない時には、バランス調整器の物干しハンガー取付けフック位置を、物干しハンガー長手方向どちらかに移動することで、簡単にバランスの調整ができる水平物干しハンガー。
【請求項２】
前記バランス調整器は
（１）物干しハンガー長手方向に細長い長方形の形状をした、物干しハンガー取付けフックを固定するための丸い開口を等間隔に開けたベース部Ｃと、
（２）物干しハンガー取付けフックと連結され、前記ベース部Ｃを挟む形で取り付けられ、物干しハンガー長手方向にベース部Ｃ上をスライドする調節部Ａと、
（３）前記調節部Ａの中央に位置し、前記ベース部Ｃと前記調節部Ａとを固定するため、前記ベース部Ｃの丸い開口に入り込める丸い形状の固定ピンＤと、固定ピンＤが常に前記ベース部Ｃの丸い開口に入り込む方向に押さえるためのバネＥとで構成された固定部Ｂ、
以上からなる請求項１記載の水平物干しハンガー
(57)【要約】【課題】竹踏み効果をもつ履物を提供すること。【解決手段】  履物本体の底部上面に針金をコの字状に折り曲げたローラー支持具を取り付け、この支持具の後方辺に第１の竹ローラーを固定し回転自在に設け、更にその支持具の対辺に前後方向に移動可能な第２の竹ローラーを回転自在に設けたものであり、具体的にはスリッパ本体に、前後３ｃｍ程度移動する竹ローラー４と、もうひとつは固定された竹ローラー３を取り付け、これらの竹ローラーで足のツボを刺激するように構成した健康スリッパである。【選択図】図１
0003139992.tif 000002
【実用新案登録請求の範囲】
【請求項１】
履物本体の底部上面に針金をコの字状に折り曲げたローラー支持具を取り付け、この支持具の後方辺に第１のローラーを固定し回転自在に設け、更にその支持具の対辺に前後方向に移動可能な第２のローラーを回転自在に設けたものである履物。
【考案の詳細な説明】
【技術分野】
【０００１】  本考案は履物に関するものであり、更に詳しくはスリッパに２つの竹ローラーを取り付け、足の裏のツボを刺激する履物である。
【背景技術】
【０００２】  今までにも、青竹踏み等マッサージ効果を指向するものはある。
【考案が解決しようとする課題】
【０００３】  従来のものは、療法を行うために特別な時間を費やすので、途中で止めてしまうという欠点があった。
【課題を解決するための手段】
【０００４】  履物本体の底部上面に針金をコの字状に折り曲げたローラー支持具を取り付け、この支持具の後方辺に第１のローラーを固定し回転自在に設け、更にその支持具の対辺に前後方向に移動可能な第２のローラーを回転自在に設けたものであり、具体的にはスリッパ本体に、ひとつは前後３ｃｍ程度移動する竹ローラー４と、もうひとつは固定された竹ローラー３を取り付け、これらの竹ローラーで足のツボを刺激するように構成した健康スリッパである。
【考案の効果】
【０００５】  従来の療法を行うには、特別に時間を費やすため、途中でやめてしまうという欠点があったが、スリッパ本体に２つの竹ローラーを取り付けることによって、常に使用可能となり、効果的であると考える。
【実施例】
【０００６】  図１乃至図３は本発明の実施例であって、図１はスリッパ全体図であり、図２は竹ローラーの取り付け位置を示した図である。そして、図３は竹ローラーの回転および移動に関する説明図である。
【図面の簡単な説明】
【０００７】
【図１】  竹ローラー付健康スリッパ全体図。
【図２】  竹ローラーの取り付け位置図。
【図３】  竹ローラー３と竹ローラー４の動きに関する図。
【符号の説明】
【０００８】    １  スリッパ本体
２  スリッパ底部
３  第１竹ローラー
４  第２竹ローラー
５  コの字状の針金支持具
６  第２竹ローラーを移動可能にするための金具
【図１】
0003139992.tif 000003
【図２】
0003139992.tif 000004
【手続補正書】
【提出日】平成19年12月19日(2007.12.19)
【手続補正１】
【補正対象書類名】図面
【補正対象項目名】全図
【補正方法】変更
【補正の内容】
【図１】
0003139992.tif 000005
【図２】
0003139992.tif 000006
【図３】
0003139992.tif 000007
(57)【要約】      （修正有）【課題】密封包装され開封後調理を必要としない食材を購入する消費者に対して、食材に合った調味料の準備を不要とする食材の提供。【解決手段】食材収納容器１を第一室２と第二室３より構成し、第一室２に食材を収納する。第二室３に食材を食するにあたり必要な調味料５を小袋で１種または複数種収納する。消費者が食材を食する場合、第二室３より調味料を取り出し食材にふりかけて使用することにより、消費者が調味料を準備することを不要とした。【選択図】図１
0003139941.tif 000002
【実用新案登録請求の範囲】
【請求項１】
短辺の一方に開口部を有し、開口部以外の三辺の周囲を熱圧着で密封した長方形のビニール袋からなる包装容器において、前記開口部より食材を容器の短辺熱圧着線より開口部に至る略三分の二の位置まで収納し、食材の収納境界である略三分の二位置で短辺熱圧着辺と平行に容器内部が熱圧着で密封加工された第一室と、第一室を除く容器内部に調味料を入れた小袋を収納し、前記開口部を熱圧着で密封加工された第二室からなることを特徴とする食材収納容器。
【請求項２】
食材を収納した前記第一室は、真空状態による密封としたことを特徴とする請求項１の食材収納容器。
【考案の詳細な説明】
【技術分野】
【０００１】
本考案は、消費者が調理することなく食する容器包装され食材の長期の保存を可能とし、消費者が食材に合った調味料を予め準備することなく、食材に合った調味で食することを可能とする食材収納容器に関するものである。
【背景技術】
【０００２】
食材を紙袋、竹皮または杉材を薄く皮状に加工し、食材を包み販売することは古くから行われている。
【０００３】
このような方法は食材に多量の水分を含む場合は食材から水滴が浸たり落ち包装された食材を入れた手提げ容器の中を汚す、また食材が外気と触れ合うことから保存がきかない欠点があった。
【０００４】
この改善策として、ビニール袋による包装が販売店等で採用されるようになり、更に食材をビニール袋等により真空包装を行うことで長期保存の問題点の解決を図ってきた。
【０００５】
しかし、消費者が調理することなく食する食材は、食材により、塩、醤油タレ、胡椒等の食材に合った調味料が必要となる。食材に合った調味料は、これまで消費者が好みにあった調味料を準備し食していたが、食材に合った調味料を準備することは困難であった。
【０００６】
消費者が食材を調理し食する場合は、味見等で味付けの加減ができるが、予め調理された食材に、食材に合った調味料を探し、食材毎に調味料を選択することは消費者にとって煩雑さ、不便さを強いることとなっていた。
【特許文献１】特開２００４−３４５７１６号公報
【特許文献２】特開２００４−３２９１５８号公報
【考案の開示】
【考案が解決しようとする課題】
【０００７】
解決しようとする問題点は、消費者が調理することなく食する食材を食する場合に、食材に合った調味料を如何にすれば提供できるかである。
【課題を解決するための手段】
【０００８】
本考案は、食材収納容器を第一室と、第二室に隔離し、食材に合った調味料を入れた小袋を第二室に収納することを最も主要な特徴とする。
【考案の効果】
【０００９】
本考案の調味料を備えた食材収納容器はビニール素材の袋からなり、食材収納容器の第一室に真空状態で密封した食材を収納し、第二室に小袋に入れた調味料を収納したことから、消費者が食材を食する場合は、第一室を開封し食材を取り出し、第二室を開封した後に食材に直接触れることが無い衛生的な小袋に入れた調味料を取り出し食材にふりかけることにより手間をかけずに容易に食することができるという利点がある。
【考案を実施するための最良の形態】
【００１０】
調理することなく食する食材を消費者が食する時に、食材に合った調味料の準備をする必要をなくすという目的を、食材に最適な最小種類の調味料の供給と最小の容器の大きさで実現した。
【００１１】
図1は、本考案の１実施例の全体図であって、１〜５は、図２と同様である。また６は熱圧着部である。図1の食材収納容器１は、ビニ−ル素材より構成され、第一室２と第二室３にからなりビニール袋１の外周および第一室２と第二室３を隔てる間隙は熱圧着で密封されている。第一室２の内部には食材４が収納されている。収納された食材は加工された鶏肉、牛肉、豚肉等何れでもよく特に限られるものではない。第二室３には食材を食するにあたり食材に合った調味料５が小袋で１種類または複数種類収納されている。
【００１２】
図２は、食材収納容器を右側面から見た図である。食材収納容器1の第一室２の熱圧着で密封された一辺を切断し食材を取り出し、第二室３の熱圧着で密封された一辺を切断し調味料の小袋を取り出し、小袋の一辺を切断した後に食材にふりかけることで食することができる。
【産業上の利用可能性】
【００１３】
食材を食する際に食材に合った調味料を任意に１種類または複数種類を食材収納容器に備えることができることから、あらゆる食材に適用できる。
【図面の簡単な説明】
【００１４】
【図１】食材収納容器全体の説明図である。
【図２】食材収納容器の右側面から見た説明図である。
【符号の説明】
【００１５】
１    食材収納容器
２    食材収納容器の第一室
３    食材収納容器の第二室
４    食材
５    調味料の小袋
６    熱圧着部
【図１】
0003139941.tif 000003
【図２】
0003139941.tif 000004
(57)【要約】【課題】犬が排泄した糞を容易に収納して密閉し、体裁よく運搬し、容易に取り出すことができるようにした犬の糞取器を提供する。【解決手段】糞収納部１の一端に開閉蓋９の一端９ａを枢着し、該糞収納部の相対向する側縁３ｂには取っ手１１における一対の脚１３をそれぞれ枢着し、該開閉蓋の相対向する側縁９ｂには透孔１７を備えた支持体１９を回動自在に突設し、該取っ手における各脚には相互に平行な平行部１３ｂを備えさせ、各脚の平行部を各支持体の透孔にそれぞれ挿通させ、取っ手を回動させることにより開閉蓋が糞収納部に対し開閉するようにしたことを特徴とする犬の糞取器。【選択図】図１
0003139912.tif 000002
【実用新案登録請求の範囲】
【請求項１】
糞収納部の一端に開閉蓋の一端を枢着し、該糞収納部の相対向する側縁には取っ手における一対の脚をそれぞれ枢着し、該開閉蓋の相対向する側縁には透孔を備えた支持体を回動自在に突設し、該取っ手における各脚には相互に平行な平行部を備えさせ、各脚の平行部を各支持体の透孔にそれぞれ挿通させ、取っ手を回動させることにより開閉蓋が糞収納部に対し開閉するようにしたことを特徴とする犬の糞取器。
【考案の詳細な説明】
【技術分野】
【０００１】
本考案は、犬の糞取器に関するものであり、更に詳しくは、犬の散歩時に犬が地上に排泄した糞を収納し、運搬するために犬の飼主等が携行する犬の糞取器に係るものである。
【背景技術】
【０００２】
犬は散歩時に糞を排泄することが多いが、犬の飼主は、犬の散歩時に犬の糞取器を携行し、犬が糞を地上に排泄したときにはこれを該糞取器に収納し、自宅の便所等の所定の場所まで運搬して該糞を処理することが要求される。
【０００３】
特開２００２−２７２３０２号公報は、ビニール袋の開口部に環状体を嵌着し、該環状体にへら部を突設してなる犬の糞取器（以下「従来の糞取器」という。）を開示している。
【特許文献１】特開２００２−２７２３０２号公報
【考案の開示】
【考案が解決しようとする課題】
【０００４】
しかるに、上記従来の糞取器は、ビニール袋の開口部を開閉する手段を備えていないため、犬が排泄した糞をビニール袋内に取り込む作業、及び糞をビニール袋内に収納した後、該ビニール袋の開口部を閉じる作業が面倒、かつ、不潔である。また、上記従来の糞取器は、取っ手を備えていないため、糞を収納した糞取器を運搬する作業も不体裁である。更に、ビニール袋内の糞を該ビニール袋から取り出す作業も面倒、かつ、不潔である。
【０００５】
本考案は、上記従来の糞取器における上述の如き問題を解決し、犬が排泄した糞を容易に収納して密閉し、体裁よく運搬し、容易に取り出すことができるようにした犬の糞取器を提供しようとしてなされたものである。
【課題を解決するための手段】
【０００６】
上記課題を解決するために、本考案は、下記のごとき犬の糞取器を提供するものである。
【０００７】
糞収納部の一端に開閉蓋の一端を枢着し、該糞収納部の相対向する側縁には取っ手における一対の脚をそれぞれ枢着し、該開閉蓋の相対向する側縁には透孔を備えた支持体を回動自在に突設し、該取っ手における各脚には相互に平行な平行部を備えさせ、各脚の平行部を各支持体の透孔にそれぞれ挿通させ、取っ手を回動させることにより開閉蓋が糞収納部に対し開閉するようにしたことを特徴とする犬の糞取器（請求項１）。
【考案の効果】
【０００８】
本考案によれば、糞収納部に枢着した取っ手を回動させることにより、開閉蓋が該糞収納部に対し開閉するため、糞取器の使用者は、取っ手を回動させて開閉蓋を開いた状態で犬に該糞収納部上に糞を排泄させ（図２参照）、排泄後、該糞収納部内に糞を収納した状態で取っ手を回動させて開閉蓋を閉じ、該取っ手を手に持って糞取器を自宅の便所等の所定の場所まで運搬し（図３参照）、該取っ手を回動させることにより糞収納部から開閉蓋を開き、該糞収納部内の糞を処理することができる。
【０００９】
すなわち、糞取器の使用者は、取っ手を操作して開閉蓋を開くことにより、犬に該糞収納部上に糞を排泄させて糞を該糞収納部に容易に収納することができ、取っ手を操作することにより開閉蓋を閉じて糞収納部を容易に密閉することができる。また、糞収納部を密閉した状態で取っ手を把持して糞取器を体裁よく運搬し、取っ手を操作して開閉蓋を開き、該糞収納部内の糞を取り出して処理することができる。
【００１０】
換言すれば、糞取器の使用者は、糞収納部と開閉蓋とに全く手を触れることなく、取っ手のみによりにより糞収納部に対する糞の収納と、開閉蓋の開閉と、糞取器の運搬と、糞の処理とを行うことができる。
【考案を実施するための最良の形態】
【００１１】
符号１に示すものは糞収納部である。
【００１２】
糞収納部１は、一例として、底板３の一端（後端）３ａに後端壁５を立設すると共に該底板３の左右の側縁３ｂ、３ｂに側縁壁７、７を立設し、該底板３の前端３ｃを前方に突出させてなるものである。
【００１３】
糞収納部１の一端（後端）に開閉蓋９の一端９ａを枢着する。
【００１４】
すなわち、一例として、糞収納部１の後端壁５に開閉蓋９の一端（後端）９ａを枢着する。
【００１５】
開閉蓋９は、閉じたときに糞収納部１を密閉するに適した形状を備えている。
【００１６】
開閉蓋９の後端９ａを糞収納部１の後端に枢着するに当っては、開閉蓋９の後端９ａをヒンジ（図示せず。）を介して糞収納部１の後端に回動自在に取り付けてもよいが、開閉蓋９を糞収納部１の後端と折り曲げ自在に連続的に形成しても差し支えない。
【００１７】
糞収納部１の相対向する側縁３ｂ、３ｂには取っ手１１における一対の脚１３、１３をそれぞれ枢着する。
【００１８】
すなわち、一例として、糞収納部１の側縁壁７、７に回動体１５、１５を回動自在に突設し、該回動体１５、１５に取っ手１１における脚１３、１３の下端１３ａ、１３ａをそれぞれ取り付ける。
【００１９】
開閉蓋９の相対向する各側縁９ｂには透孔１７を備えた支持体１９を回動自在に突設する。
【００２０】
取っ手１１における各脚１３には相互に平行な平行部１３ｂを備えさせ、各脚１３の平行部１３ｂを各支持体１９の透孔１９にそれぞれ挿通させる。
【００２１】
以て、取っ手１１を回動させることにより開閉蓋９が糞収納部１に対し開閉するようになす。
【００２２】
なお、図３における符号２１に示すものは、糞収納部１内に収納された糞である。また、図２における符号２３に示すものは、ティッシューペーパーである。
【図面の簡単な説明】
【００２３】
【図１】本考案による犬の糞取器における開閉蓋を開いた状態を示す斜視図である。
【図２】同上の断面図である。
【図３】同上糞取器における開閉蓋を閉じ、運搬する状態を示す側面図である。
【符号の説明】
【００２４】
１  糞収納部
３  底板
３ａ  一端
３ｂ  側縁
３ｃ  前端
５  後端壁
７  側縁壁
９  開閉蓋
９ａ  一端
９ｂ  側縁
１１  取っ手
１３  脚
１３ａ  下端
１３ｂ  平行部
１５  回動体
１７  透孔
１９  支持体
２１  糞
２３  ティッシューペーパー
【図１】
0003139912.tif 000003
【図２】
0003139912.tif 000004
【図３】
0003139912.tif 000005